(57)【要約】  【課題】受信したリンガー信号に生じる歪みを抑制する。  【解決手段】他の通信端末装置３から受信したリンガー信号に歪みが生じていると検知した場合に、第１リレーＲ１をオン状態とすることにより、リンガー信号の検出に不要な他の回路１６をリンガー信号検出回路１５から切り離すとともに、第２リレーＲ２をオン状態とすることにより、付属電話機４をリンガー信号検出回路１５から切り離す（歪み抑制処理）。付属電話機４の鳴動部４１を鳴動させるよう設定されている場合には、歪み抑制処理が行われる場合でも、擬似鳴動処理部１８により付属電話機４の鳴動部４１を鳴動させる。  【効果】リンガー信号の検出に不要な他の回路１６や付属電話機４がリンガー信号検出回路１５に接続されていることに起因してリンガー信号に歪みが生じるのを抑制できる。【選択図】        図１
2005176243.tif 000002
【特許請求の範囲】
【請求項１】
公衆通信回線を介して他の通信端末装置と通信可能なファクシミリ装置であって、
他の通信端末装置からの呼び出しに基づいて受信したリンガー信号を検出するためのリンガー信号検出回路と、
上記リンガー信号検出回路で検出したリンガー信号に歪みが生じているか否かを検知するための歪み検知手段と、
上記歪み検知手段によってリンガー信号に歪みが生じていると検知された場合に、上記リンガー信号検出回路に接続されている部品のうち、リンガー信号の検出のために作動する部品以外の所定の部品を、上記リンガー信号検出回路から切断する第１切断手段と
を含むことを特徴とするファクシミリ装置。
【請求項２】
公衆通信回線を介して他の通信端末装置との間で通話を行うために用いられる付属電話機を上記リンガー信号検出回路に接続するための付属電話機接続部と、
上記歪み検知手段によってリンガー信号に歪みが生じていると検知された場合に、上記リンガー信号検出回路に接続されている付属電話機を上記リンガー信号検出回路から切断する第２切断手段と
を含むことを特徴とする請求項１記載のファクシミリ装置。
【請求項３】
上記付属電話機接続部に接続されている付属電話機に備えられた鳴動部を鳴動させるか否かを決定するための鳴動決定手段と、
上記鳴動決定手段により付属電話機の鳴動部を鳴動させると決定されている状態で、上記歪み検知手段によって受信したリンガー信号に歪みが生じていると検知され、上記第２切断手段によって付属電話機が上記リンガー信号検出回路から切断された場合に、付属電話機の鳴動部を鳴動させる鳴動制御手段と
を含むことを特徴とする請求項２記載のファクシミリ装置。
【発明の詳細な説明】
【技術分野】
【０００１】
この発明は、ファクシミリ装置に関する。
【背景技術】
【０００２】
ファクシミリ装置は、公衆通信回線（たとえば、一般電話回線）を介して他の通信端末装置に接続される。他の通信端末装置から当該ファクシミリ装置が呼び出される場合には、他の通信端末装置から公衆通信回線を介してファクシミリ装置にリンガー信号（呼出信号）が送信される。
ファクシミリ装置には、たとえば、リンガー信号を検出するためのリンガー信号検出部が備えられていて、このリンガー信号検出部で適正なリンガー信号を検出した場合に、他の通信端末装置に対して自動的に通信可能状態となる（たとえば、特許文献１参照）。そして、通信可能状態となったファクシミリ装置は、他の通信端末装置から送信されてくる画像データに基づく画像を用紙に形成（記録）することとなる。
【特許文献１】特開平１０−２５７１９９号公報
【発明の開示】
【発明が解決しようとする課題】
【０００３】
しかしながら、リンガー信号検出部を含むリンガー信号検出回路に多数の回路が接続された状態でリンガー信号を受信した場合には、リンガー信号検出部で検出するリンガー信号に歪みが生じやすい。
また、ファクシミリ装置の中には、公衆通信回線を介して他の通信端末装置との間で通話を行うために用いられる付属電話機を接続することができるようになっているものがある。このようなファクシミリ装置に付属電話機を接続した場合、ファクシミリ装置および付属電話機は、通常、それぞれインピーダンスの異なる受信回路を有しているため、他の通信端末装置から受信したリンガー信号に歪みが生じる場合がある。
【０００４】
上記のようにリンガー信号に歪みが生じた場合には、リンガー信号を受信したファクシミリ装置が通信可能状態とならず、当該ファクシミリ装置と他の通信端末装置との間で通信を行うことができない場合がある。
この発明は、かかる背景のもとでなされたもので、受信したリンガー信号に生じる歪みを抑制できるファクシミリ装置を提供することを目的とする。
【課題を解決するための手段】
【０００５】
上記目的を達成するための請求項１記載の発明は、公衆通信回線（２）を介して他の通信端末装置（３）と通信可能なファクシミリ装置（１）であって、他の通信端末装置からの呼び出しに基づいて受信したリンガー信号を検出するためのリンガー信号検出回路（１５）と、上記リンガー信号検出回路で検出したリンガー信号に歪みが生じているか否かを検知するための歪み検知手段（１０，１３，１４，Ｔ２）と、上記歪み検知手段によってリンガー信号に歪みが生じていると検知された場合に、上記リンガー信号検出回路に接続されている部品のうち、リンガー信号の検出のために作動する部品以外の所定の部品（１６）を、上記リンガー信号検出回路から切断する第１切断手段（１０，Ｒ１，Ｔ６）とを含むことを特徴とするファクシミリ装置である。
【０００６】
なお、括弧内の英数字は、後述の実施形態における対応構成要素などを表す。以下、この項において同じ。
この構成によれば、リンガー信号に歪みが検出された場合には、第１切断手段により上記所定の部品がリンガー信号検出回路から切り離されるので、リンガー信号の検出に不要な部品がリンガー信号検出回路に接続されていることに起因してリンガー信号に歪みが生じるのを抑制できる。
【０００７】
上記第１切断手段（１０，Ｒ１，Ｔ６）は、他の通信端末装置（３）からの呼び出しに基づいてリンガー信号を受信したことに応答して上記ファクシミリ装置（１）が通信可能状態となったときに、上記所定の部品（１６）を上記リンガー信号検出回路（１５）に接続する（Ｔ９，Ｔ１０）ものであることが好ましい。
請求項２記載の発明は、公衆通信回線（２）を介して他の通信端末装置（３）との間で通話を行うために用いられる付属電話機（４）を上記リンガー信号検出回路（１５）に接続するための付属電話機接続部（１７）と、上記歪み検知手段（１０，１３，１４，Ｔ２）によってリンガー信号に歪みが生じていると検知された場合に、上記リンガー信号検出回路に接続されている付属電話機を上記リンガー信号検出回路から切断する第２切断手段（１０，Ｒ２，Ｔ４）とを含むことを特徴とする請求項１記載のファクシミリ装置（１）である。
【０００８】
この構成によれば、リンガー信号に歪みが検出された場合には、第２切断手段により付属電話機がリンガー信号検出回路から切り離されるので、付属電話機がリンガー信号検出回路に接続されていることに起因してリンガー信号に歪みが生じるのを抑制できる。
上記第２切断手段（１０，Ｒ２，Ｔ４）は、他の通信端末装置（３）からの呼び出しに基づいてリンガー信号を受信したことに応答して上記ファクシミリ装置（１）が通信可能状態となったとき、その通信態様が通話である場合に、上記付属電話機接続部（１７）に接続されている付属電話機（４）を上記リンガー信号検出回路（１５）に接続する（Ｔ１０）ものであることが好ましい。
【０００９】
請求項３記載の発明は、上記付属電話機接続部（１７）に接続されている付属電話機（４）に備えられた鳴動部（４１）を鳴動させるか否かを決定するための鳴動決定手段（１９）と、上記鳴動決定手段により付属電話機の鳴動部を鳴動させると決定されている状態で、上記歪み検知手段（１０，１３，１４，Ｔ２）によって受信したリンガー信号に歪みが生じていると検知され、上記第２切断手段（１０，Ｒ２，Ｔ４）によって付属電話機が上記リンガー信号検出回路（１５）から切断された場合に、付属電話機の鳴動部を鳴動させる鳴動制御手段（１０，１８，Ｔ５）とを含むことを特徴とする請求項２記載のファクシミリ装置（１）である。
【００１０】
この構成によれば、鳴動決定手段により付属電話機の鳴動部を鳴動させると決定されている場合には、リンガー信号の歪みを抑制するために付属電話機がリンガー信号検出回路から切り離された状態でも、鳴動制御手段の働きによって付属電話機の鳴動部が鳴動される。したがって、付属電話機をリンガー信号検出回路から切り離した状態でリンガー信号に生じる歪みを抑制しつつ、付属電話機の鳴動部を鳴動させることができる。
【発明を実施するための最良の形態】
【００１１】
以下には、図面を参照して、この発明の実施形態について具体的に説明する。
図１は、この発明の一実施形態に係るファクシミリ装置１の電気的構成を示すブロック図である。
図１を参照して、ファクシミリ装置１は、当該ファクシミリ装置１に備えられた回線・モデムインターフェース１１を介して一般電話回線２に接続されている。一般電話回線２には他の通信端末装置３（たとえば、ファクシリミリ装置や電話機など）が接続されていて、当該ファクシミリ装置１は、一般電話回線２を介して他の通信端末装置３と通信を行うことができるようになっている。
【００１２】
他の通信端末装置３から当該ファクシミリ装置１が呼び出される場合には、他の通信端末装置３から一般電話回線２を介してファクシミリ装置１にリンガー信号（呼出信号）が送信される。リンガー信号は、たとえば１６Ｈｚの正弦波信号である。ファクシミリ装置１は、他の通信端末装置３から適正なリンガー信号を受信した場合に、そのリンガー信号を送信した他の通信端末装置３と通信を行うことが可能になる。
【００１３】
また、ファクシミリ装置１には、一般電話回線２を介して他の通信端末装置３（たとえば、電話機）との間で通話を行うために用いられる付属電話機４を接続することができるようになっている。他の通信端末装置３から適正なリンガー信号を受信したファクシミリ装置１は、その通信態様がファクシミリ通信（画像データが送受信される通信態様）である場合には、自動的に通信可能状態となって他の通信端末装置３から送信されてくる画像データに基づく画像を用紙に形成（記録）する一方、通信態様がファクシミリ通信でなく通話（音声信号が送受信される通信態様）である場合には、付属電話機４に備えられた鳴動部４１を鳴動させることにより通話を促すための呼出音を発生させ、ユーザが付属電話機４の受話器（図示せず）をとるなどの操作を行うことに応答して通信可能状態となる。
【００１４】
ファクシミリ装置１には、たとえばマイクロコンピュータを含む構成であって、当該ファクシミリ装置１の動作を制御するための制御部１０が備えられている。制御部１０には、上述の回線・モデムインターフェース１１がモデム１２を介して接続されている。一般電話回線２と回線・モデムインターフェース１１とを接続する配線Ｌ１は、その途中部に他の配線Ｌ２の一端が接続されることにより分岐されていて、この分岐した配線Ｌ２を介して、他の通信端末装置３から受信したリンガー信号を検出するためのリンガー信号検出部１３や、他の通信端末装置３から当該ファクシミリ装置１に送られてくる信号の信号電圧を検知するための回線電圧検出部１４などが、それぞれ制御部１０に対して並列接続されている。リンガー信号検出部１３および回線電圧検出部１４、ならびに、これらを制御部１０および一般電話回線２に接続する配線Ｌ１，Ｌ２などは、全体としてリンガー信号検出回路１５を構成している。
【００１５】
制御部１０には、リンガー信号の検出に不要な他の回路１６（たとえば、トーン信号を検出するための回路や、一般電話回線２の極性を検出するための回路などのリンガー信号の検出のために作動する回路以外の回路）が接続されていて、当該他の回路１６は、第１リレーＲ１を介して配線Ｌ２の途中部に接続されている。第１リレーＲ１が図１において実線で示すオフ状態のときは、他の回路１６がリンガー信号検出回路１５に接続される一方、第１リレーＲ１が図１において破線で示すオン状態のときは、他の回路１６がリンガー信号検出回路１５から切り離される。第１リレーＲ１がオフ状態であれば、受信したリンガー信号がリンガー信号検出回路１５を介して他の回路１６に入力されるが、第１リレーＲ１がオン状態であれば、受信したリンガー信号は他の回路１６には入力されない。
【００１６】
付属電話機４は、ファクシミリ装置１に備えられた付属電話機接続部１７に接続される。付属電話機接続部１７に接続された付属電話機４は、第２リレーＲ２と、リンガー信号に代わる信号を付属電話機４に送信することにより付属電話機４の鳴動部４１を擬似的に鳴動（擬似鳴動処理）させるための擬似鳴動処理部１８とを介して制御部１０に接続される。第２リレーＲ２が図１において実線で示すオフ状態のときは、付属電話機４がリンガー信号検出回路１５に接続される一方、第２リレーＲ２が図１において破線で示すオン状態のときは、付属電話機４がリンガー信号検出回路１５から切り離されて、擬似鳴動処理部１８を介して制御部１０に接続される。第２リレーＲ２がオフ状態であれば、受信したリンガー信号がリンガー信号検出回路１５を介して付属電話機４に入力されるが、第２リレーＲ２がオン状態であれば、受信したリンガー信号は付属電話機４には入力されない。
【００１７】
一般的に、リンガー信号検出回路１５に多数の回路が接続された状態でリンガー信号を受信した場合には、リンガー信号検出部１３で検出するリンガー信号に歪みが生じやすい。また、ファクシミリ装置１および付属電話機４は、通常、それぞれインピーダンスの異なる受信回路を有しているため、他の通信端末装置３から受信したリンガー信号に歪みが生じる場合がある。
【００１８】
この実施形態では、リンガー信号の歪みに起因するリンガー信号の信号電圧の変動をリンガー信号検出部１３または回線電圧検出部１４で検知することにより、一般電話回線２を介して他の通信端末装置３から受信したリンガー信号に歪みが生じているか否かを検知することができるようになっている。
そして、リンガー信号に歪みが生じていると検知された場合には、付属電話機４およびリンガー信号の検出に不要な他の回路１６をリンガー信号検出回路１５から切り離すことにより、リンガー信号の歪みを抑制するための処理（歪み抑制処理）を実行することができるようになっている。当該ファクシミリ装置１では、操作部１９を操作することにより、リンガー信号を受信したときに付属電話機４の鳴動部４１を鳴動させるか否かを予め設定しておくことができるようになっている。
【００１９】
図２は、待機中の操作部１９の操作に基づく制御部１０の制御内容を示すフローチャートである。
このファクシミリ装置１では、電源投入後、リンガー信号に歪みが生じていると検知されるまでは、付属電話機４の鳴動部４１を鳴動させるよう設定されているか否か（ステップＳ２）によって第２リレーＲ２をオン状態とするかオフ状態とするかが決定されるようになっている。一方、当該ファクシミリ装置１の電源投入後に１回でもリンガー信号に歪みが生じていると検知された場合には、歪み制御処理が自動的にオンされて（ステップＳ１でＹＥＳ）、付属電話機４の鳴動部４１を鳴動させるよう設定されているか否かにかかわらず第２リレーＲ２がオン状態となる（ステップＳ４）。したがって、待機中、制御部１０は、操作部１９の操作に基づいて、歪み抑制処理がオンされているか否か（ステップＳ１）、または、付属電話機４の鳴動部４１を鳴動させるよう設定されているか否か（ステップＳ２）を監視している。
【００２０】
そして、歪み抑制処理がオンされている場合（ステップＳ１でＹＥＳ）、および、付属電話機４を鳴動させないよう設定されている場合には（ステップＳ２でＮＯ）、制御部１０は、第２リレーＲ２をオン状態とする（ステップＳ４）。一方、歪み抑制処理がオンされておらず（ステップＳ１でＮＯ）、かつ付属電話機４の鳴動部４１を鳴動させるよう設定されている場合には（ステップＳ２でＹＥＳ）、制御部１０は、第２リレーＲ２をオフ状態とする（ステップＳ３）。
【００２１】
図３は、リンガー信号を受信した場合の制御部１０による制御の流れを示すフローチャートである。
図３を参照して、リンガー信号検出部１３でリンガー信号を検知すると（ステップＴ１でＹＥＳ）、制御部１０は、まず、リンガー信号検出部１３または回線電圧検出部１４における検出結果に基づいて、リンガー信号に歪みが生じているか否かを検知する（ステップＴ２）。
【００２２】
リンガー信号に歪みが検出されなかった場合には（ステップＴ２でＮＯ）、制御部１０は、歪み抑制処理を行うことなく、通信可能状態となったか否かを監視する（ステップＴ７）。
一方、リンガー信号に歪みが検出された場合には（ステップＴ２でＹＥＳ）、制御部１０は、付属電話機４の鳴動部４１を鳴動させるよう設定されているか否かを判定する（ステップＴ３）。そして、付属電話機４の鳴動部４１を鳴動させないよう設定されている場合には（ステップＴ３でＮＯ）、第１リレーＲ１をオン状態とした後（ステップＴ６）、通信可能状態となったか否かを監視する（ステップＴ７）。この状態では、第１リレーＲ１および第２リレーＲ２がいずれもオン状態となっていて、受信したリンガー信号は他の回路１６および付属電話機４には入力されないので、付属電話機４の鳴動部４１がリンガー信号に基づいて鳴動することはない。
【００２３】
付属電話機４の鳴動部４１を鳴動させるよう設定されている場合には（ステップＴ３でＹＥＳ）、制御部１０は、図２のステップＳ３でオフ状態とされている第２リレーＲ２をオン状態とすることにより（ステップＴ４）、付属電話機４をリンガー信号検出回路１５から切り離して、擬似鳴動処理部１８を介して制御部１０に接続する。そして、制御部１０は、擬似鳴動処理部１８によって付属電話機４の鳴動部４１の擬似鳴動処理を開始させ（ステップＴ５）、第１リレーＲ１をオン状態とした後（ステップＴ６）、通信可能状態となったか否かを監視する（ステップＴ７）。この状態では、第１リレーＲ１および第２リレーＲ２がいずれもオン状態となっていて、受信したリンガー信号は他の回路１６および付属電話機４には入力されないが、擬似鳴動処理部１８の働きによって、付属電話機４の鳴動部４１が鳴動する。
【００２４】
この実施形態では、リンガー信号に歪みが検出された場合には第１リレーＲ１および第２リレーＲ２がオン状態とされて、付属電話機４および他の回路１６がリンガー信号検出回路１５から切り離されるので、リンガー信号の検出に不要な他の回路１６や付属電話機４がリンガー信号検出回路１５に接続されていることに起因してリンガー信号に歪みが生じるのを抑制できる。
【００２５】
また、付属電話機４の鳴動部４１を鳴動させるよう設定されている場合には、リンガー信号の歪みを抑制するために付属電話機４がリンガー信号検出回路１５から切り離された状態でも、擬似鳴動処理部１８の働きによって付属電話機４の鳴動部４１が鳴動される。したがって、付属電話機４をリンガー信号検出回路１５から切り離した状態でリンガー信号に生じる歪みを抑制しつつ、付属電話機４の鳴動部４１を鳴動させることができる。
【００２６】
適正なリンガー信号を受信した場合には、その後、通信態様がファクシミリ通信であれば自動的に通信可能状態となる一方、通信態様が通話である場合には、ユーザが付属電話機４の受話器をとるなどの操作を行うことに応答して通信可能状態となる（ステップＴ７でＹＥＳ）。そして、通信態様がファクシミリ通信であれば（ステップＴ８でＹＥＳ）、制御部１０は、第１リレーＲ１をオフ状態とすることにより（ステップＴ９）、他の通信端末装置３から入力される信号（画像データなど）を他の回路１６に入力させて通信（ファクシミリ通信）を許容する。一方、通信態様が通話であれば（ステップＴ８でＮＯ）、制御部１０は、第１リレーＲ１および第２リレーＲ２をオフ状態とすることにより（ステップＴ１０）、他の通信端末装置３から入力される信号（音声信号）を他の回路１６および付属電話機４に入力させて通信（通話）を許容する。
【００２７】
その後、通信が終了すれば（ステップＴ１１でＹＥＳ）、制御部１０は、他の通信端末装置３から受信したリンガー信号に基づく制御を終了する。
この発明は、以上の実施形態の内容に限定されるものではなく、請求項記載の範囲内において種々の変更が可能である。
たとえば、リンガー信号検出回路１５は、リンガー信号検出部１３および回線電圧検出部１４以外に他の部品を含むものであってもよいし、リンガー信号検出部１３および回線電圧検出部１４のいずれか一方を含むものであってもよい。
【００２８】
第１リレーＲ１によってリンガー信号検出回路１５に対する接続がオン／オフされる部品は、上記実施形態のようにリンガー信号の検出のために作動する回路以外の回路（他の回路１６）すべてに限らず、たとえば、それらの回路のうちの所定の回路だけであってもよいし、それらの回路に含まれる所定の部品だけであってもよい。
また、歪み抑制処理の内容を記憶しておくための記憶部を有し、その歪み抑制処理後のリンガー信号受信時に再びリンガー信号に歪みを検出した場合には、上記記憶部に記憶されている歪み抑制処理の内容を読み出して、その内容に基づいて歪み抑制処理を行うような構成であってもよい。
【００２９】
ファクシミリ装置１は、一般電話回線２を介して他の通信端末装置３に接続されるような構成に限らず、ＩＳＤＮ（integrated services digital network）回線などの他の公衆通信回線を介して他の通信端末装置３に接続されるような構成であってもよいし、ＰＢＸ（private branch exchange）などの交換機を介して一般電話回線２やＩＳＤＮ回線などの公衆通信回線に接続されるような構成であってもよい。
【００３０】
この場合、他の通信端末装置３からファクシミリ装置１に向けてリンガー信号が送信されたときに、他の公衆通信回線や交換機と当該ファクシミリ装置１とを接続するターミナルアダプタから、当該リンガー信号と同一または類似のリンガー信号がファクシミリ装置１に送信されるようになっていて、このターミナルアダプタからのリンガー信号を受信したファクシミリ装置１がそのリンガー信号に歪みが生じていると検知した場合に、歪み抑制処理を行うような構成であってもよい。
【図面の簡単な説明】
【００３１】
【図１】この発明の一実施形態に係るファクシミリ装置の電気的構成を示すブロック図である。
【図２】待機中の操作部の操作に基づく制御部の制御内容を示すフローチャートである。
【図３】リンガー信号を受信した場合の制御部による制御の流れを示すフローチャートである。
【符号の説明】
【００３２】
１  ファクシミリ装置
２  一般電話回線
３  他の通信端末装置
４  付属電話機
１０  制御部
１３  リンガー信号検出部
１４  回線電圧検出部
１５  リンガー信号検出回路
１６  他の回路
１７  付属電話機接続部
１８  擬似鳴動処理部
１９  操作部
４１  鳴動部
Ｒ１  第１リレー
Ｒ２  第２リレー
【図１】
2005176243.tif 000003
【図２】
2005176243.tif 000004
【図３】
2005176243.tif 000005